(57)【要約】【課題】長時間着用しても、ウエスト部の締付力による食い込み痕の発生が抑制される、パンティストッキング等のレッグウエア及びその製造方法を提供することを課題とする。【解決手段】ウエスト部構成部２、腹部構成部３及び脚部４を含む白生地１を一対、連結縫合して成るレッグウエアであって、ウエスト部１２に１又は複数のＶ字形切込み１０が設けられる。Ｖ字形切込み１０は、一方の白生地１のウエスト部構成部１２の内股側端部が斜めに切り落とされて成る斜めカット部８と、他方の白生地１のウエスト部構成部１２の内股側端部が斜めに切り落とされて成る斜めカット部８とが、連結縫合に伴って対向することにより生成される。【選択図】図５
2020165006.tif 000002
【特許請求の範囲】
【請求項１】
ウエスト部構成部、腹部構成部及び脚部を含む白生地を一対、連結縫合して成るレッグウエアであって、
前記ウエスト部構成部同士が連結縫合されて形成されるウエスト部に１又は複数のＶ字形切込みが設けられていることを特徴とするレッグウエア。
【請求項２】
前記Ｖ字形切込みは、前記一対の白生地の連結縫合前に形成された、一方の前記白生地の前記ウエスト部構成部の内股側端部が斜めに切り落とされて成る斜めカット部と、他方の前記白生地の前記ウエスト部構成部の内股側端部が斜めに切り落とされて成る斜めカット部とが、前記連結縫合に伴って対向することにより生成されるものである、請求項１に記載のレッグウエア。
【請求項３】
前記Ｖ字形切込みは、前記一対の白生地の連結縫合後に前記ウエスト部に切り込み形成されたものである、請求項１に記載のレッグウエア。
【請求項４】
前記Ｖ字形切込みにかがり縫い又はまつり縫いが施されている、請求項１乃至３のいずれかに記載のレッグウエア。
【請求項５】
ウエスト部構成部、腹部構成部及び脚部から成る筒状の白生地を編立てる白生地編立て工程と、
一対の前記白生地の前記ウエスト部構成部と前記腹部構成部の内股側部分を縦に切り込んで、連結縫合用の切り口を設けると共に、前記切り口の上端部に斜めカット部を設ける切り込み工程と、
前記切り口同士を縫合して一対の前記白生地を連結し、レッグウエア形状にする連結縫合工程と、
を含むことを特徴とするレッグウエアの製造方法。
【請求項６】
ウエスト部構成部、腹部構成部、脚部及びつま先部から成る筒状の白生地を編立てる白生地編立て工程と、
前記つま先部の下端部を縫合するつま先部縫合工程と、
前記つま先部を縫合した白生地を裏返し、つま先部の縫い目が内側に隠れるようにする裏返し工程と、
一対の前記白生地の前記ウエスト部構成部と前記腹部構成部の内股側部分を縦に切り込んで、連結縫合用の切り口を設けると共に、前記切り口の上端部に斜めカット部を設ける切り込み工程と、
前記切り口同士を縫合して一対の前記白生地を連結し、レッグウエア形状にする連結縫合工程と、
を含むことを特徴とするレッグウエアの製造方法。
【発明の詳細な説明】
【技術分野】
【０００１】
本発明は、レッグウエア及びその製造方法に関するものであり、より詳細には、着用時にウエスト部の食い込みが抑制される、パンティストッキング、タイツ、レギンス、トレンカ等の、主に女性用のレッグウエアに関するものである。
【背景技術】
【０００２】
例えば、パンティストッキングはウエスト部と腹部と脚部とつま先部とから成り、全体的に伸縮性に富む組織に編み上げられている。一般にパンティストッキングは、先ず、筒状に編立てられた白生地と称される一対の筒状体を、つま先部を縫合した後それぞれウエスト部構成部から腹部構成部にかけて内股側に切り込みを入れ、その切り口同士を縫合してウエスト部及び腹部を形成して仕上げる。
【０００３】
パンティストッキングはこのようにして作られ、腹部の上側に他の部分よりも締付力の強いウエスト部が配置されるが、このウエスト部が着用者の腰回り部に食い込むことにより、腰回りに食い込み痕が残る。この食い込み痕はすぐには消えず、気になるものである。また、ウエスト部の締付力が強いと、ウエスト部が広がりにくく、着脱しにくくなる。これらの問題はパンティストッキングに限らず、タイツ、レギンス、トレンカその他のこの種レッグウエアに共通する問題である。
【先行技術文献】
【特許文献】
【０００４】
【特許文献１】実開平１−２２７１１号公報
【特許文献２】実開平６−４００６号公報
【発明の概要】
【発明が解決しようとする課題】
【０００５】
上述したように、パンティストッキング等を着用した場合、ウエスト部の締付力によって食い込み痕ができることは不可避であり、また、その締付力が強いとウエスト部が広がりにくく、着脱しにくくなるが、着用者は、それらのことを気にしつつも、それはやむを得ないことと捉えているのが現状である。
【０００６】
本発明はかかる背景の下になされたもので、長時間着用しても、ウエスト部の締付力による食い込み痕の発生が抑制され、また、ウエスト部の締付力が弱められて着脱しやすくなる、パンティストッキング等のレッグウエア及びその製造方法を提供することを課題とする。
【課題を解決するための手段】
【０００７】
上記課題を解決するための請求項１に係る発明は、ウエスト部構成部、腹部構成部及び脚部を含む白生地を一対、連結縫合して成るレッグウエアであって、前記ウエスト部構成部同士が連結縫合されて形成されるウエスト部に１又は複数のＶ字形切込みが設けられていることを特徴とするレッグウエアである。
【０００８】
一実施形態においては、前記Ｖ字形切込みは、前記一対の白生地の連結縫合前に形成された、一方の前記白生地の前記ウエスト部構成部の内股側端部が斜めに切り落とされて成る斜めカット部と、他方の前記白生地の前記ウエスト部構成部の内股側端部が斜めに切り落とされて成る斜めカット部とが、前記連結縫合に伴って対向することにより生成されるものである。また、他の実施形態における前記Ｖ字形切込みは、前記一対の白生地の連結縫合後に、前記ウエスト部に切り込み形成されたものである。
【０００９】
通例、前記Ｖ字形切込みに、かがり縫い又はまつり縫いが施される。
【００１０】
上記課題を解決するための請求項５に係る発明は、
ウエスト部構成部、腹部構成部及び脚部から成る筒状の白生地を編立てる白生地編立て工程と、
一対の前記白生地の前記ウエスト部構成部と前記腹部構成部の内股側部分を縦に切り込んで、連結縫合用の切り口を設けると共に、前記切り口の上端部に斜めカット部を設ける切り込み工程と、
前記切り口同士を縫合して一対の前記白生地を連結し、レッグウエア形状にする連結縫合工程と、
を含むことを特徴とするレッグウエアの製造方法である。
【００１１】
上記課題を解決するための請求項６に係る発明は、
ウエスト部構成部、腹部構成部、脚部及びつま先部から成る筒状の白生地を編立てる白生地編立て工程と、
前記つま先部の下端部を縫合するつま先部縫合工程と、
前記つま先部を縫合した白生地を裏返し、つま先部の縫い目が内側に隠れるようにする裏返し工程と、
一対の前記白生地の前記ウエスト部構成部と前記腹部構成部の内股側部分を縦に切り込んで、連結縫合用の切り口を設けると共に、前記切り口の上端部に斜めカット部を設ける切り込み工程と、
前記切り口同士を縫合して一対の前記白生地を連結し、レッグウエア形状にする連結縫合工程と、
を含むことを特徴とするレッグウエアの製造方法である。
【発明の効果】
【００１２】
本発明に係るレッグウエア及びその製造方法は上記のとおりであり、該レッグウエアの場合、そのウエスト部にＶ字形切込みが設けられているので、その分ウエスト部の締付力が弱まり、強い締付力による食い込み痕の発生が抑制され、また、ウエスト部が広がりやすくなるので、着脱しやすいという効果がある。
【図面の簡単な説明】
【００１３】
【図１】本発明に係るレッグウエアの製造方法の白生地編成工程を示す図である。
【図２】本発明に係るレッグウエアの製造方法のつま先部縫合工程を示す図である。
【図３】本発明に係るレッグウエアの製造方法の切り込み工程を示す図である。
【図４】本発明に係るレッグウエアの製造方法の切り込み工程を示す図である。
【図５】本発明に係るレッグウエアの製造方法の連結縫合工程を示す図である。
【発明を実施するための形態】
【００１４】
本発明を実施するための形態について、添付図面に依拠して説明する。なお、添付図面及び以下の説明は、レッグウエアとしてパンティストッキングを例にしてのものであるが、他のタイツ、レギンス、トレンカ等のレッグウエアの場合も、パンティストッキングの場合に準ずる。
【００１５】
本発明に係るパンティストッキングは、基本的には一般のものと同様に、ウエスト部構成部２と腹部構成部３と脚部４とから成る一対の白生地１の内股側に、ウエスト部構成部２から腹部構成部３にかけて切り込みを入れ、その切り口７同士を連結縫合して製造されるものであるが、ウエスト部構成部２が連結縫合されて形成されるウエスト部１２に、１又は複数のＶ字形切込み１０が設けられる点で、一般のものとは構成を異にする。
【００１６】
上記構成の本発明に係るパンティストッキングは、以下の工程を経て製造される。
（１）白生地編立て工程
先ず、従来と同様の方法で、ウエスト部構成部２、腹部構成部３、脚部４及びつま先部５から成る筒状の白生地１を編立てる（図１）。この白生地１の編立ては、通例、丸編み機を用い、ウエスト部構成部２、腹部構成部３、脚部４及びつま先部５に境界を設ける編立てを行う。
（２）つま先部縫合工程
次いで、やはり従来と同様の方法で、即ち、トゥークローザーを用いてつま先部５の下端部を縫合する（図２）。踵部より下がないレギンス等の場合は、この工程及び次の裏返し工程がない。
（３）裏返し工程
つま先部５の下端部を縫合した後白生地１を裏返し、つま先部５の縫い目６が内側に隠れるようにする。
（４）切り込み工程
次いで、白生地１のウエスト部構成部２及び腹部構成部２の内股側部分を縦に切り込み、連結縫合用の切り口７を設ける（図３，４）。図示した実施形態においては、更に、ウエスト部構成部２の切り口７の上部を斜めに切り落として、斜めカット部８を形成する（図３，４参照）。
（５）連結縫合工程    
この工程は、従来と同様の方法にて、一対の白生地１，１の前側の切り口７同士及び後側の切り口７同士をそれぞれ縫合して一対の白生地１，１を連結し（縫い目９）、パンティストッキング形状にする工程である（図５参照）。その際、必要に応じてマチを付け、股ぐりを縫い合わせる。
（６）仕上げ工程
連結縫合した後、引っ張り等の仕上げ処理をして完成品とする。
【００１７】
上記のように連結縫合すると、一方の白生地１の斜めカット部８と他方の白生地１の斜めカット部８は離れたままでフリー状態となるが、連結縫合に伴って左右の斜めカット部８が対向することにより、Ｖ字形切込み１０が生成される。このＶ字形切込み１０は、ウエスト部２の前部中央及び後部中央に形成されることになる（図５参照）。
【００１８】
上記実施形態とは異なり、一対の白生地１，１を連結縫合した後、即ち、連結縫合工程を経てパンティストッキング形状に仕上げた後に、ウエスト部１２の適宜箇所に切り込みを入れて、１又は複数のＶ字形切込み１０を形成することとしてもよい。なお、いずれの場合にも、Ｖ字形切込み１０には、ほつれ防止のために、かがり縫い又はまつり縫いが施される（図４参照）。
【００１９】
このようにしてウエスト部１２に１又は複数のＶ字形切込み１０が形成されることにより、ウエスト部１２における締付力が弱まり、強い締付力によってウエスト部１２が腹部に食い込むことが抑止されるので、食い込み痕ができにくくなる。また、ウエスト部１２における締付力が弱まることにより、ウエスト部１２が広げやすいものとなり、履いたり脱いだりしやすくなる。
【産業上の利用可能性】
【００２０】
本発明に係るレッグウエア及びその製造方法は上記のとおりであり、そのレッグウエアは、ウエスト部１２にＶ字形切込み１０が設けられることにより、ウエスト部１２の締付力による食い込み痕の発生が抑制され、また、ウエスト部１２における締付力が弱まることにより、ウエスト部１２が広げやすくなるので、着脱が容易となるという効果のあるものであって、その産業上の利用可能性は大である。
【符号の説明】
【００２１】
１          白生地
２          ウエスト部構成部
３          腹部構成部
４          脚部
５          つま先部
６          縫い目
７          切り口
８          斜めカット部
９          縫い目
１０        Ｖ字形切込み
１２        ウエスト部
１３        腹部
【図１】
2020165006.tif 000003
【図２】
2020165006.tif 000004
【図３】
2020165006.tif 000005
【図４】
2020165006.tif 000006
【図５】
2020165006.tif 000007